(57)【要約】      （修正有）【課題】顧客操作端末を用いて、帳票のイメージから、文字認識技術により切り出した文字情報を元に取引を行うシステムにおいて、認識出来なかった文字や誤って認識した文字が発生し、顧客が入力するには困難となる場合は、オペレータの入力による修正が出来る方法を提供する。【解決手段】取引に必要となる項目に対して取引レベルと入力レベルの分類を儲け、そのレベルを参照して入力を顧客またはオペレータに振り分け、入力操作を行う。【選択図】図１
2011248418.tif 000002
【特許請求の範囲】
【請求項１】
顧客操作端末において、帳票のイメージを取得し、このイメージを入力とし、文字認識技術を利用して、イメージから文字情報を切り出し帳票を作成し、取引を行うシステムにおいて、帳票に対して、必要な項目が抽出できなかったかまたは文字情報に誤りがあるため修正が必要となった場合に、その取引に必要となる項目に対して取引レベルと入力レベルの分類を儲け、そのレベルを参照して入力を顧客またはオペレータに振り分ける事により、効率的な取引を行うシステム。
【発明の詳細な説明】
【技術分野】
【０００１】
本発明は、顧客操作端末において、帳票のイメージを取得し、このイメージを入力として、文字認識技術を利用して文字情報を切り出し、帳票を作成し、取引を行うシステムにおいて、帳票に対して、必要な項目が抽出できなかったかまたは文字情報に誤りがあるために修正が必要となった場合の、修正者の選択方法に関するものである。
【背景技術】
【０００２】
ATMのような顧客操作端末の操作では、顧客による必要項目の選択、必要項目の入力、内容の確認により、取引等を成立させる。この入力操作において、端末操作は、顧客が画面に触れる事で入力が可能なタッチパネルによる操作が一般的である。
【０００３】
このようなタッチパネルでの入力は、少ない項目選択や数字のような場合は、選択項目の少ない内容の入力を行うためには適切なインタフェースであり、端末の利用者も戸惑うことなく操作をする事が可能である。
【０００４】
しかし、名前の入力等のような複雑な内容を入力するためには、５０音分のボタンを表示し、入力されたカナから推測された漢字の候補のボタンを動的に生成するような工夫されたインタフェースが必要となり、使用者に戸惑いを与えるインタフェースになる恐れがあり、また、ITに不慣れな使用者にとっては、入力が困難なインタフェースとなる事がある。
【先行技術文献】
【特許文献】
【０００５】
【特許文献１】特開平１１−２３８１６５号公報
【発明の概要】
【発明が解決しようとする課題】
【０００６】
解決しようとする課題は、顧客操作端末において、帳票のイメージを読取り、イメージから文字を切り出し、振込み等の取引を行う際に、取引に必要な項目がイメージから切り出せなかった場合に入力が必要になったり、切り出した文字に誤りがあり、修正入力が必要となった場合に、住所、氏名等漢字のような複雑な入力が発生し、顧客操作端末にて入力すると、操作が複雑になり入力が困難となり、入力に時間が掛かったり、入力出来ずに途中で取引をあきらめてしまう等が発生してしまう。
【課題を解決するための手段】
【０００７】
本発明は、帳票のイメージから取引等に必要な項目に文字認識技術を用いて切り出した文字情報を元に取引を行うシステムにおいて、認識出来なかった文字や誤って認識した文字が発生した場合に、各項目にレベルを設け、顧客が入力するには困難となるレベルの場合にオペレータによる入力による修正が出来る方法を提供する。
【発明の効果】
【０００８】
本発明の帳票修正方法は、帳票の必要項目にレベルを設け、レベルに応じて入力者を指定する事により、帳票作成を効率化し、取引をスムーズに実現する効果がある。
【図面の簡単な説明】
【０００９】
【図１】本発明を示す修理フローを示す図。
【図２】本発明の入力レベルを示した図。
【図３】本発明を適用したシステム構成図（実施例１）。
【発明を実施するための形態】
【００１０】
本発明の文字認識結果を利用した帳票修正方法を、図を用いて説明する。
【００１１】
図１は、本発明の文字認識結果を利用した帳票修正方法の処理フローを示す図である。１の処理開始の後、２のイメージ読取処理を行い、イメージを読み込み、３の文字認識処理により、イメージ上の文字を取出す。次に３の文字認識処理で取出した文字を４の認識結果判定で、必要な項目が取出せたかを判定する。必要な項目が取出せた場合は、６の確認処理へ進み、取出せていない場合は、５の修正処理を行い、修正処理が終了したら、６の確認処理へ進む。６の確認処理では、必要な項目を表示し、誤りがある場合には修正要を、誤りがない場合は修正不要を入力する。次に、７の確認結果で、６の確認処理で入力された値を判定し、修正不要の場合には９の処理終了へ進み、修正要の場合には、８の修正処理を行った後９の終了処理へ進む。５の修正処理および８の修正処理の詳細は、１０の修正処理開始から１４の修正処理終了に示している。１０の修正処理開始の後、１１の入力レベル判定で入力レベルを判定し、入力レベルが顧客の場合には１２の顧客入力へ、入力レベルがオペレータの場合には１３のオペレータ入力へ進み、入力処理が終了したら、１４の修正処理へ進み処理を終了する。なお、３の文字認識処理には、特願2007-553802号のような技術を用いる。
【００１２】
図２は、本実施例で使用した入力レベルを示す表の一例を示したものである。この表は、２１の項目、２２の取引レベル、２３の入力レベルで構成される。２１の項目は、対象となる取引で必要となる項目を示し、この項目は、対象となる取引のより異なる。２２の取引レベルは、２１の項目が取引のどのレベルで必要となるかを示した図であり、ここでの取引レベルとして、受付、取引、仕分けに分類しており、この表の○は、そのレベルでの必須項目を示し、△は、条件により必須となる項目を示し、ハイフン（−）は、そのレベルでは不要な項目を示す。ここで、受付は、その取引を受付ける事が可能かを示しており、ここでは、金額が確定する条件を○で示している。また、△で示した払込み先口座は、支払い期限を超過していない場合は不要であり、期限が超過している場合には、延滞料金の計算のため、必要となる。取引レベルでは、実際に取引を行うために必要となる項目を示しており、受付の条件に加えて払込み先口座が必須項目となる。また、仕分けレベルでは、取引を行った際の振込み先に対しての報告を行うための分類項目を示している。２３の入力レベルは、２１の項目を顧客に入力させて良い項目か、オペレータが入力すべき項目かを示しており、図１の１１の入力レベル判定は、この項目に従い、処理の振り分けを行う。
【００１３】
図３は、本発明の実施例の一つである、文字認識結果を利用した帳票修正方法を適用したシステム構成を示した図である。図３の３１は連携サーバであり、Webサーバ、AP1、AP2、AP連携機能が動作しており、３１の連携サーバと３２の端末１と３３の端末２は、３０のネットワークを介して接続されているものとする。このAP1は端末１用の業務が実装されており、端末１と同等の端末から、Webブラウザから実行する事ができる。AP2は端末２用の業務が実装されており、端末２と同等の端末から、Webブラウザから参照する事ができる。AP連携機能は、端末１と端末２およびAP1とAP2の連携を行うものである。図３の３２は端末1の画面１であり、画面１には入力装置としてタッチパネルが具備されている。図３の３３は端末２の画面２であり、３３の端末２には、入力装置として３４マウスと３５キーボードが具備されている。図３の３６と３８と３９は、画面１で実行されているAP1の画面例であり、３７は画面２で実行されているAP2の画面例である。なお、端末１および端末２の同等の端末とは、入力装置が同等で、端末１は顧客用に開放している端末、端末２はサポート者の端末のように、使用者が同等である事を意味している。
【００１４】
図３において、端末１は専門知識のない顧客が使用しており、３１のAP1へ接続しており、Webによる業務が遂行されており、この画面例が３６の入力画面である。この画面には、帳票から認識された結果である口座番号とお名前が表示されている。この画面において、お名前欄に誤りがあり、修正する必要があるため、操作者である顧客は、お名前項目の右端の修正ボタンにタッチすると、AP連携機能により図１の１１の入力レベル判定が行われ、判定結果がオペレータとなるため、連携している３３の画面２に３７のオペレータ入力画面が表示され、画面２のオペレータが３５キーボードや３４マウスを利用して入力を行う。この画面には、認識されたお名前の内容と、認識の元になったイメージが表示されている。入力が終了すると、送信ボタンをマウス等によりクリックを行う。送信ボタンがクリックされると、オペレータ入力画面で入力された内容が、３３の画面２に連動された３２の画面１の３９顧客入力画面へ反映される。これにより、オペレータの入力が実現できる。
【符号の説明】
【００１５】
１…処理開始、２…イメージ読取、３…文字認識処理、４…認識結果判断、５…修正処理、６…確認処理、７…確認結果、８…修正処理、９…処理終了、１０…修正処理開始、１１…入力レベル判断、１２顧客入力、…１３…オペレータ入力、１４…修正処理終了。
【図１】
2011248418.tif 000003
【図２】
2011248418.tif 000004
【図３】
2011248418.tif 000005